(57)【要約】      （修正有）【課題】一つの記録媒体に複数のオーディオデータファイルを記録した場合でも、各オーディオデータファイル間における音量のばらつきが解消される音量自動調節手段を提供する。【解決手段】最大音量上限値と下限値を記憶するための記憶手段１１１と、検出された最大音量値と最大音量上限値と下限値とを比較する比較手段１１５，１１６を設け、各オーディオデータファイルの音量最大値と前記上限値と下限値との大小関係によって、ユーザーが所望する最適の音量最大値に自動調整することが可能となる。【選択図】図１
2008310852.tif 000002
【特許請求の範囲】
【請求項１】
オーディオデータファイルの最大音量値を検出するための最大音量値検出手段と、最大音量値の上限値を設定するための最大音量上限値設定手段と、前記最大音量値検出手段によって検出された最大音量値および前記最大音量上限値設定手段によって設定された最大音量上限値を記憶するための記憶手段と、前記最大音量値と前記最大音量上限値を比較するための第一の比較手段とを備え、前記最大音量値が前記最大音量上限値を超える場合に前記最大音量上限値を超えないように該オーディオデータファイル全体に一定の減衰を施す第一の音量自動調節手段を有するオーディオ再生装置において、
最大音量値の下限値を設定するための最大音量下限値設定手段を設け、前記最大音量下限値設定手段によって設定された最大音量下限値を前記記憶手段に記憶し、
前記検出された最大音量値と前記最大音量下限値とを比較する第二の比較手段を設け、
前記第一および第二の比較手段による比較結果において、該オーディオデータファイルが最大音量上限値以下、かつ最大音量下限値以上であれば音量調節を施さず、
前記第二の比較手段による比較結果において、該オーディオデータファイルの最大音量値が前記最大音量下限値よりも小さい場合には、該オーディオデータファイルが前記最大音量下限値を超えるように該オーディオデータファイル全体に一定の増幅を施す第二の自動音量調節手段を設けたことを特徴とするオーディオ再生装置。
【請求項２】
前記オーディオデータファイルを光ディスク、ハードディスクおよびフラッシュメモリに記録して再生を行なう請求項１に記載のオーディオ再生装置。
【請求項３】
前記第一および前記第二の比較手段によって行うそれぞれの比較を、一つの比較手段において行う請求項２に記載のオーディオ再生装置。
【請求項４】
前記オーディオデータファイルはアナログ形式、デジタル形式の一方だけあるいは両方が存在する請求項２乃至３に記載のオーディオ再生装置。
【発明の詳細な説明】
【技術分野】
【０００１】
本発明は、オーディオ再生装置に関し、さらに詳細には、一つの記録媒体に複数のオーディオデータファイルが記録されている場合でも、各オーディオデータファイル間における音量のばらつきが解消される自動音量調節手段を有するオーディオ再生装置に関する。
【背景技術】
【０００２】
従来、音楽データはＣＤ等により提供され、ユーザーがオーディオ機器を操作して所望の音量により試聴するようになされていた。さらに近年においては、通信、データ圧縮および記録媒体高容量化などに関する技術の向上により、通信機能と記録機能を有するパーソナルコンピュータや携帯電話などを端末として、通信を介したネットワーク上で音楽などのオーディオデータファイルの配信が行われている。そしてユーザーは、これらのオーディオデータファイルを、パーソナルコンピュータの内蔵ハードディスクや携帯電話に内蔵のフラッシュメモリ等に大量に蓄積し、自動的に又は所望する順序により再生するアプリケーションプログラムが提供されるようになされている。また、パーソナルコンピュータのみならず、DVDプレーヤ、DVDレコーダおよびハードディスクレコーダなどにおいても同様に、前記オーディオデータファイルを大量に蓄積し、自動的に又は所望する順序により再生するアプリケーションプログラムを搭載した民生用映像機器が普及している。
【０００３】
特許文献１には、複数の音楽ファイルを再生する場合に、音声ボリュームの基準値を設定するサブボリューム手段を設けて、この基準値を超えるものは基準値になるように、この基準値未満のものは基準値になるように、サブボリュームを調整する技術が開示されている。
【特許文献１】特開2003-243952
【発明の開示】
【発明が解決しようとする課題】
【０００４】
ところでこのようなオーディオデータファイルにおいては、オーディオデータファイルごとに録音レベルが大きく異なる場合がある。特に、レコードにより提供された音楽をオーディオデータファイルに変換して提供する場合等にあっては、従来のコンパクトディスクにより提供される音楽や、近年のネットワーク上で配信される音楽などに比して、録音レベルが小さいことがある。
【０００５】
このようなオーディオデータファイルを試聴する場合に、コンパクトディスク等の記録媒体を単位にして再生する場合等にあっては、先頭のオーディオデータファイルを再生する時点でユーザーが音量を調整して、このコンパクトディスクに記録されたオーディオデータファイルをほぼ適切な音量により試聴することができるが、種々の記録媒体よりオーディオデータファイルをダウンロードしてパーソナルコンピュータに多量に蓄積し、この蓄積した多量のオーディオデータファイルを自動的に再生する場合等にあっては、種々の録音レベルのオーディオデータファイルが再生されることにより、ユーザーにおいてはオーディオデータファイル毎に音量調整が煩わしくなる問題がある。なおこのような音量の調整を省略した場合には、音量の小さい音楽が聞きづらくなる。
【０００６】
図６は、従来技術における音量最大値調整の一例を表す。ＤおよびＥは２つのオーディオデータファイルの元の音量最大値をそれぞれ表しており、横破線がサブボリュームによって設定された基準値を示す。オーディオデータファイルＤの音量最大値は基準値を超えているため、Ｄ‘のように、元の最大値から基準値に下げて自動調整される。一方、オーディオデータファイルＥの音量最大値は基準値より小さいため、Ｅ’のように、元の最大値から基準値まで上げて自動調整される。
【０００７】
しかしながら、特許文献１に記載の技術では、基準値を超えるか超えないかに従って、最大値を基準値に自動調整するので、すべてのオーディオデータファイルの音量最大値のみが一律化されてしまう。一つの記録媒体に種々の音楽ジャンルのオーディオデータファイルが記録されている場合には、ユーザーにとってはすべてのオーディオデータファイルの音量最大値が一律化されることが好ましくない場合も存在する。
【０００８】
本発明は前述のような場合においても、ユーザーの所望の音量最大値に自動調整可能な技術を提供することを目的とする。
【課題を解決するための手段】
【０００９】
オーディオ再生装置において、オーディオデータファイルの最大音量値を検出するための最大音量値検出手段と、最大音量値の上限値を設定するための最大音量上限値設定手段と、前記最大値検出手段によって検出された音量最大値および前記最大音量上限値設定手段によって設定された最大音量上限値を記憶するための記憶手段と、前記最大音量値と前記最大音量上限値を比較するための第一の比較手段とを備え、前記最大音量値が前記最大音量上限値を超える場合に前記最大音量上限値を超えないように該オーディオデータファイル全体に一定の減衰を施す第一の音量自動調節手段を有し、最大音量値の下限値を設定するための最大音量下限値設定手段を設け、前記最大音量下限値設定手段によって設定された最大音量下限値を前記記憶手段に記憶し、前記検出された最大音量値と前記最大音量下限値とを比較する第二の比較手段を設け、前記第一および第二の比較手段による比較結果において、該オーディオデータファイルが最大音量上限値以下、かつ最大音量下限値以上であれば音量調節を施さず、前記第二の比較手段による比較結果において、該オーディオデータファイルの最大音量値が前記最大音量下限値よりも小さい場合には、該オーディオデータファイルが前記最大音量下限値を超えるように該オーディオデータファイル全体に一定の増幅を施す第二の自動音量調節手段を設ける。
【００１０】
オーディオ再生装置において、前記オーディオデータファイルを光ディスク、ハードディスクおよびフラッシュメモリに記録／再生する。
【００１１】
オーディオ再生装置において、前記第一および前記第二の比較手段によって行う。
【００１２】
オーディオ再生装置において、前記オーディオデータファイルはアナログ形式、デジタル形式の一方だけあるいは両方が存在する。
【００１３】
前述の通り構成することにより、下限値を設定してユーザーの所望の音量最大値に自動で調節するよう作用する。
【発明の効果】
【００１４】
請求項１に記載の発明によれば、ユーザーが最大音量上限値と最大音量下限値を設定することにより、各オーディオデータファイルの最大音量値と前記最大音量上限値と前記最大音量下限値との大小関係によって、ユーザーが所望する最適の最大音量値に自動調整することが可能となる。例えば、一つの記録メディアに記録されている複数のオーディオデータファイルが様々な音楽ジャンルであった場合に、各オーディオデータファイルの最大音量値は様々に異なると想定される。この場合に、最大音量上限値と最大音量下限値の差を大きくすれば、最大音量値が最大音量上限値と最大音量下限値の間にあれば、オーディオデータファイルはそのままで再生され、最大音量下限値を下回る極端に最大音量値の小さいオーディオデータファイルだけが下限値まで引き伸ばされることになる。逆に前記最大音量上限値と前記最大音量下限値の差を小さくすれば、すべてのオーディオデータファイルの最大音量値が一律化される。このように設定する値が最大音量上限値のみであるよりも、最大音量下限値を設定可能とすることでユーザーの希望する音量自動調節の設定が色々な場合において種々の設定が可能となる。
【００１５】
請求項２に記載の発明によれば、種々の記憶媒体に記憶されたオーディオデータファイルの最大音量値を自動調整することが可能となる。
【００１６】
請求項３に記載の発明によれば、第一と第二の比較手段を一つの比較手段で行うことが出来るので、ソフトウェアの容量を小さくすることが可能となる。また、ＩＣなどの半導体素子の部品点数も少なくすることが可能となる。
【００１７】
請求項４に記載の発明によれば、オーディオデータファイルの形式はアナログ形式でもデジタル形式でも自動音量調節が可能となる。
【発明を実施するための最良の形態】
【００１８】
以下、適宜図面を参照しながら本発明の実施例について説明する。 
図１は本発明を採用したＤＶＤ記録再生機のブロック図を示す。リモコン１０１はユーザーからの種々の指令をリモコンコードで送信し、リモコン受光部１０２が前記リモコンコードを受信してＣＰＵ１００に伝達し、次いでＣＰＵ１００が各ブロックに指令を送信してＤＶＤ記録再生機を動作させる。まず、各オーディオファイルデータの最大音量値検出について説明する。ユーザーがリモコン１０１から最大音量値検出指令をＣＰＵ１００に発信し、リモコン受光部１０２が前記リモコンコードを受信してＣＰＵ１００に伝達し、ＣＰＵ１００は高速再生の指令を出力し、光ピックアップ１０３はＤＶＤディスク１０５からデータ読み取りを開始する。ＤＶＤディスク１０５からは暗号化された映像データおよびオーディオデータが読み取られ、オーディオデータを解読するためにオーディオコーデック１０７に出力される。
【００１９】
一方、オーディオコーデック１０７から出力されたオーディオデータは、ＣＰＵ１００に出力され、最大音量値検出手段１０９によって該オーディオデータファイルを高速再生終了するまでの間に最大音量値が検出される。次に検出された最大音量値は記憶手段１１１に記憶される。ＤＶＤディスクに複数のオーディオデータファイルが記録されている場合には、すべてのオーディオデータファイルを高速再生して各オーディオデータファイルの最大音量値を検出し、記憶手段１１１に記憶する。
【００２０】
次に、ユーザーが所望する最大音量上限値および最大音量下限値の設定動作を説明する。リモコン１０１からユーザーが所望する最大音量上限値および最大音量下限値を表すリモコンコードが送信され、リモコン受光部１０２が前記リモコンコードを受信してＣＰＵ１００に伝達する。次にＣＰＵ１００内の最大音量上限値設定手段１１３と最大音量下限値設定手段１１４によってそれぞれ設定された最大音量上限値と最大音量下限値が記憶装置１１１に記憶される。
【００２１】
次に本発明に係る一連の動作を説明する。リモコン１０１からユーザーが所望するオーディオデータファイルの再生指令を表すリモコンコードがＣＰＵ１００に送信される。次に該オーディオデータファイルの最大音量値および最大音量上限値／最大音量下限値を記憶装置１１１から読み出し、第一の比較手段１１５および第二の比較手段１１６によって比較を行う。なお、比較処理に関する説明は後に詳細に説明する。以降の概要説明を次に説明する。
【００２２】
第一の比較手段１１５および第二の比較手段１１６の比較結果に従い、第一の音量自動調節手段１１７および第二の音量自動調節手段１１８からオーディオデータ処理部１１９に指令が出力され、最大音量値に対して設定された最大音量上限値および最大音量下限値を基準に増幅もしくは減衰の音量自動調節が行われる。次に調整されたオーディオデータがアナログオーディオ出力部１２１およびデジタルオーディオ出力部１２３に出力され、それぞれの出力から図示しないオーディオアンプ等の音声出力機器に接続される。
【００２３】
次に、図２は最大音量値検出のフローチャートを示す。図１のブロック図も参照しながら図２のフローチャートに基づいて最大音量値検出の一連の動作を説明する。
【００２４】
最初にリモコン１０１を通じてユーザーから最大音量値検出指令を表すリモコンコードが送信され（ステップＳ２０１）、リモコン受光部１０２が前記リモコンコードを受信してＣＰＵ１００に伝達する。次にＣＰＵ１００が光ピックアップ１０３に対してＤＶＤディスク１０５からのデータを読み取るように制御を行う。また図示しないディスクモーター制御部によってＤＶＤディスク１０５は通常再生よりも数倍高速に再生され（ステップＳ２０２）、ＣＰＵ１００内の最大音量値検出手段１０９は、光ディスク１０５に記録されているオーディオデータファイルすべての最大音量値をサーチしながら、オーディオデータファイルの最大音量値を検出する（ステップＳ２０３）。次にＣＰＵ１００は前記検出された最大音量値を記憶手段１１１に記憶する（ステップＳ２０４）。なお、ＤＶＤディスクに複数のオーディオデータファイルが記録されている場合には、それらすべてのオーディオデータファイルの最大音量値を検出して、それぞれの最大音量値を記憶手段１１１に記録する。
【００２５】
次に、図３は最大音量上限値および最大音量下限値設定のフローチャートを示す。図１のブロック図も参照しながら図３のフローチャートに基づいて最大音量上限値および最大音量下限値設定の一連の動作を説明する。
【００２６】
最初に、最大音量上限値の設定は、ユーザーの所望する値が図示しないリモコン１０１の１０キーによって最大音量上限値を表すリモコンコードが送信され、リモコン受光部１０２が前記リモコンコードを受信してＣＰＵ１００に伝達する。次にＣＰＵ１００内部の最大音量上限値設定手段１１３によって上限値が設定される（ステップＳ３０１）。次にＣＰＵ１００は、設定された最大音量上限値を記憶手段１１１に記憶する（ステップＳ３０２）。続いて最大音量下限値の設定も同様に、ユーザーの所望する値が図示しないリモコン１０１の１０キーによって最大音量下限値を表すリモコンコードが送信され、リモコン受光部１０２が前記リモコンコードを受信してＣＰＵ１００に伝達する。次にＣＰＵ１００内部の最大音量下限値設定手段１１４によって最大音量下限値が設定され（ステップＳ３０３）、ＣＰＵ１００は設定された最大音量下限値を記憶手段１１１に記憶する（ステップＳ３０４）。
【００２７】
次に、図４は本実施形態の音量自動調節のフローチャートを示す。図１のブロック図も参照しながら図４のフローチャートに基づいて、音量自動調節の一連の動作を説明する。
【００２８】
最初にリモコン１０１を通じてユーザーから再生を表すリモコンコードが送信され（ステップＳ４０１）、リモコン受光部１０２が前記リモコンコードを受信してＣＰＵ１００に伝達する。これを受けてＣＰＵ１００は最大音量値および最大音量上限値のデータ読み出しを記憶手段１１１から行う（ステップＳ４０２）。次にＣＰＵ１００内の第一の比較手段１１５によって、前記読み出された最大音量上限値と最大音量値の比較を行う（ステップＳ４０３）。前記比較結果が、最大音量値が最大音量上限値を超えているとなった場合には、ＣＰＵ１００内の第一の音量自動調節手段１１７によって、最大音量値はユーザーが設定した所望の最大音量上限値に自動的に調節するようにオーディオデータ処理部１１９に指令を出力する（ステップＳ４０７）。続いて、ＤＶＤディスクの再生を実行する（ステップＳ４０８）。
【００２９】
また、ステップＳ４０３における比較結果が、最大音量値が最大音量上限値を超えないとなった場合には、ＣＰＵ１００が最大音量下限値のデータ読み出しを記憶手段１１１から行う（ステップＳ４０４）。次に、第二の比較手段１１８が最大音量値と最大音量下限値の比較を行い（ステップＳ４０５）、前記比較結果が、最大音量値が最大音量下限値よりも小さいとなった場合には、第二の音量自動調節手段１１８によって、最大音量値はユーザーが設定した所望の下限値に自動的に調節するようにオーディオデータを増幅するようにオーディオデータ処理部１１９に指令を出力する（ステップＳ４０６）。続いて、ＤＶＤディスクの再生を実行する（ステップＳ４０８）。
【００３０】
また、ステップＳ４０５の比較結果が、最大音量値が最大音量下限値以上であるとなった場合には、第一の音量自動調節手段１１７および第二の音量調節手段１１８は動作せず、すなわち音量自動調節は行なわずにＤＶＤディスクの再生を実行する（ステップＳ４０８）。
【００３１】
なお、図４のフローチャートにおいては、ステップＳ４０３において上限値と音量最大値の比較処理を行い、次にステップＳ４０４において下限値と音量最大値の比較処理の順序で説明を行ったが、前記２行程の順序を入れかえても、本発明の音量自動調節の処理は可能である。また、第一の比較手段で行われる比較処理（ステップＳ４０３）と、第二の比較手段で行われる比較処理（ステップＳ４０５）を一つの比較手段で行うことも可能である。
【００３２】
図５は、種々の最大音量値を有するオーディデータファイルに対して音量自動調節が行なわれた場合を示す。オーディオデータファイルＡの元の最大音量値は最大音量上限値を超えているため、Ａ‘のように最大音量上限値まで下げて音量自動調節が行われる。次に、オーディオファイルデータＢの元の最大音量値は、最大音量上限値より小さく、かつ最大音量下限値よりも大きいため、音量自動調節は行われない。次に、オーディオデータファイルＣの元の最大音量値は最大音量下限値よりも小さいため、最大音量下限値まで持ち上げて音量自動調節が行われる。
【００３３】
本実施例においては、オーディオデータファイルの最大音量値検出を行うのに、高速再生による全オーディオデータの検出を採用したが、光ディスクなどにおいては、全データを再生せずとも、ＴＯＣ（Ｔａｂｌｅ  Ｏｆ  Ｃｏｎｔｅｎｔ）情報を読み込むことで最大音量値を検出する手段を採用することも可能である。また、本実施例においては、デジタル形式のオーディオデータファイルを再生する場合の自動音量調節を記載したが、アナログレコードプレーヤやデジタルオーディオ機器のアナログ音声出力から記録されたアナログ形式のオーディオデータを再生する場合にも実施することが可能である。
【図面の簡単な説明】
【００３４】
【図１】本発明の実施形態に係るブロック図を示す。
【図２】本発明の実施形態に係る最大音量値検出動作のフローチャートを示す。
【図３】本発明の実施形態に係る最大音量上限値／最大音量下限値設定動作のフローチャートを示す。
【図４】本発明の実施形態に係る音量自動調節動作のフローチャートを示す。
【図５】本発明の実施形態に係る種々の最大音量値に対する音量自動調節されたオーディオデータファイルを表す。
【図６】従来技術における種々の最大音量値に対する音量自動調節されたオーディオデータファイルを表す。
【符号の説明】
【００３５】
１００  ＣＰＵ
１０９  最大値検出手段
１１１  記憶手段
１１３  最大音量上限値設定手段
１１４  最大音量下限値設定手段
１１５  第一の比較手段
１１６  第二の比較手段
１１７  第一の音量自動調節手段
１１８  第二の音量自動調節手段
【図２】
2008310852.tif 000003
【図３】
2008310852.tif 000004
【図４】
2008310852.tif 000005
【図１】
2008310852.tif 000006
【図５】
2008310852.tif 000007
【図６】
2008310852.tif 000008